【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
ＮＴＣサーミスタ材料よりなるサーミスタ素体と、
前記サーミスタ素体内においてサーミスタ層を介して隔てられて積層された複数の内部電極と、
前記サーミスタ素体の外表面に形成された第１，第２の外部電極とを備えるＮＴＣサーミスタ素子において、
少なくとも１つの内部電極が、ギャップを隔てられて同一平面上で対向され、それぞれの一端が前記第１，第２の外部電極の各一方に接続された第１，第２の対向電極を有し、
前記第１の対向電極の少なくとも一部が、サーミスタ層を介して隔てられた異なる高さ位置の反対電位に接続される第１の対向電極もしくは内部電極と厚み方向に重なるように位置されており、
前記第１，２の外部電極はサーミスタ素体の上面、下面および側面に至る被り部を有し、
前記第１または第２の外部電極の被り部と、第２または第１の外部電極に接続された内部電極との距離が、第１，第２の対向電極間の前記ギャップの大きさよりも大きく、
前記第１または第２の外部電極の被り部の長さが、第１または第２の外部電極に接続された第２の対向電極の長さより長くされている、
ことを特徴とする、ＮＴＣサーミスタ素子。
【請求項２】
ＮＴＣサーミスタ材料よりなるサーミスタ素体と、
前記サーミスタ素体内においてサーミスタ層を介して隔てられて積層された複数の内部電極と、
前記サーミスタ素体の外表面に形成された第１，第２の外部電極とを備えるＮＴＣサーミスタ素子において、
少なくとも１つの内部電極が、ギャップを隔てられて同一平面上で対向され、それぞれの一端が前記第１，第２の外部電極の各一方に接続された第１，第２の対向電極を有し、
前記第１の対向電極の少なくとも一部が、サーミスタ層を介して隔てられた異なる高さ位置の反対電位に接続される第１の対向電極もしくは内部電極と厚み方向に重なるように位置されており、
前記第１，２の外部電極はサーミスタ素体の上面、下面および側面に至る被り部を有し、
前記第１または第２の外部電極の被り部と、第２または第１の外部電極に接続された内部電極との距離が、第１，第２の対向電極間の前記ギャップの大きさよりも大きく、
厚み方向に対向する前記内部電極間の距離が、第１，第２の対向電極間の前記ギャップの大きさより小さくされている、
ことを特徴とする、ＮＴＣサーミスタ素子。
【請求項３】
前記第１，第２の対向電極からなる内部電極が、前記複数層の内部電極のうち最上層と最下層の一方または両方に配置されている、請求項１または２に記載のＮＴＣサーミスタ素子。
【請求項４】
全ての内部電極がギャップを隔てられて同一平面上で対向された第１，第２の対向電極を有し、各第１の対向電極の少なくとも一部がサーミスタ層を隔てられて異なる高さ位置の反対電位に接続される第１の対向電極と厚み方向に重なり合うように位置されている、請求項１〜３の何れかに記載のＮＴＣサーミスタ素子。
【請求項５】
前記第１または第２の外部電極の被り部が、第２または第１の外部電極に接続された前記第１の対向電極と厚み方向において重ならないように配置されている、請求項１〜４の何れかに記載のＮＴＣサーミスタ素子。
【請求項６】
第１の対向電極の幅が、サーミスタ素子を介して厚み方向に重なり合うように配置された他の内部電極の幅と異ならされている、請求項１〜５の何れかに記載のＮＴＣサーミスタ素子。
【手続補正２】
【補正対象書類名】明細書
【補正対象項目名】００１３
【補正方法】変更
【補正の内容】
【００１３】
【課題を解決するための手段】 請求項１に記載の発明は、ＮＴＣサーミスタ材料よりなるサーミスタ素体と、前記サーミスタ素体内においてサーミスタ層を介して隔てられて積層された複数の内部電極と、前記サーミスタ素体の外表面に形成された第１，第２の外部電極とを備えるＮＴＣサーミスタ素子において、少なくとも１つの内部電極が、ギャップを隔てられて同一平面上で対向され、それぞれの一端が前記第１，第２の外部電極の各一方に接続された第１，第２の対向電極を有し、前記第１の対向電極の少なくとも一部が、サーミスタ層を介して隔てられた異なる高さ位置の反対電位に接続される第１の対向電極もしくは内部電極と厚み方向に重なるように位置されており、前記第１，２の外部電極はサーミスタ素体の上面、下面および側面に至る被り部を有し、前記第１または第２の外部電極の被り部と、第２または第１の外部電極に接続された内部電極との距離が、第１，第２の対向電極間の前記ギャップの大きさよりも大きく、前記第１または第２の外部電極の被り部の長さが、第１または第２の外部電極に接続された第２の対向電極の長さより長くされていることを特徴とする、ＮＴＣサーミスタ素子である。
請求項２に記載の発明は、ＮＴＣサーミスタ材料よりなるサーミスタ素体と、前記サーミスタ素体内においてサーミスタ層を介して隔てられて積層された複数の内部電極と、前記サーミスタ素体の外表面に形成された第１，第２の外部電極とを備えるＮＴＣサーミスタ素子において、少なくとも１つの内部電極が、ギャップを隔てられて同一平面上で対向され、それぞれの一端が前記第１，第２の外部電極の各一方に接続された第１，第２の対向電極を有し、前記第１の対向電極の少なくとも一部が、サーミスタ層を介して隔てられた異なる高さ位置の反対電位に接続される第１の対向電極もしくは内部電極と厚み方向に重なるように位置されており、前記第１，２の外部電極はサーミスタ素体の上面、下面および側面に至る被り部を有し、前記第１または第２の外部電極の被り部と、第２または第１の外部電極に接続された内部電極との距離が、第１，第２の対向電極間の前記ギャップの大きさよりも大きく、厚み方向に対向する前記内部電極間の距離が、第１，第２の対向電極間の前記ギャップの大きさより小さくされていることを特徴とする、ＮＴＣサーミスタ素子である。
【手続補正３】
【補正対象書類名】明細書
【補正対象項目名】００１４
【補正方法】変更
【補正の内容】
【００１４】
請求項１または２に記載の発明に係るＮＴＣサーミスタ素子では、好ましくは、請求項３に記載のように、第１，第２の対向電極からなる内部電極が、複数層の内部電極のうち最上層と最下層の一方または両方に配置されている。
【手続補正４】
【補正対象書類名】明細書
【補正対象項目名】００１５
【補正方法】変更
【補正の内容】
【００１５】
請求項１〜３の何れかに記載の発明に係るＮＴＣサーミスタ素子では、好ましくは、請求項４に記載のように、全ての内部電極がギャップを隔てられて同一平面上で対向された第１，第２の対向電極を有し、各第１の対向電極の少なくとも一部がサーミスタ層を隔てられて異なる高さ位置の反対電位に接続される第１の対向電極と厚み方向に重なり合うように位置されている。
【手続補正５】
【補正対象書類名】明細書
【補正対象項目名】００１６
【補正方法】変更
【補正の内容】
【００１６】
請求項５に記載の発明は、請求項１〜４の何れかに記載の発明におけるＮＴＣサーミスタ素子において、前記第１または第２の外部電極の被り部が、第２または第１の外部電極に接続された前記第１の対向電極と厚み方向において重ならないように配置されていることを特徴とする。
【手続補正６】
【補正対象書類名】明細書
【補正対象項目名】００１７
【補正方法】削除
【補正の内容】